(57)【特許請求の範囲】
【請求項１】
手袋は、手の指から手首を経て腕部の広がりに合わせて任意の部位までを覆うことができる外周部を設け、或いは、足袋は、足の指から足首を経て脚部の広がりに合わせて任意の部位までを覆うことができる外周部を設け、前記手袋又は前記足袋の、前記手又は前記足の前記指と反対方向の端部に、前記手又は前記足の指から挿入する開口部を設け、前記外周部と前記開口部の間に前記端部の方向へ内側周囲が徐々に狭くなるテーパー構造に寸法調整部を設け、前記寸法調整部は、前記手又は前記足の前記指から挿入して装着する方向に交差し、前記腕部又は前記脚部の外側周囲の寸法に見合う前記開口部を設けるための、前記寸法調整部から寸法調整片を切り欠いて取り除くことができる少なくとも一つの切り取り手段を有し、
さらに、前記開口部近傍の周囲を締める少なくとも一つの帯状体と前記帯状体の一部に設けられた剥離紙を有する粘着体とを備えた前記手袋又は前記足袋からなるケア用品。
【請求項２】
前記少なくとも一つの帯状体の、前記帯状体の長手方向に切り欠き線を設け、又は、帯状体の長手方向の端部までを切り欠いて端部を結ぶ形状を施してなる請求項１に記載の手袋又は足袋からなるケア用品。
【請求項３】
前記手袋又は前記足袋は、樹脂フィルム、不織布シート、ゴム、金属、箔、布、伸縮性を有する素材の少なくともいずれかで構成される請求項１に記載の手袋又は足袋からなるケア用品。
【請求項４】
前記手袋又は前記足袋は、２層の外側フィルムを積層する積層体、又は、前記２層の前記外側フィルムの間に少なくとも１層の内側フィルムを積層する積層体であって、或いは、前記外側フィルムの面積以下の前記内側フィルムを積層する積層体であり、前記積層体の外周部をシールするシール帯を設け、溶断や刃型で打ち抜かれて形成された請求項１に記載の手袋又は足袋からなるケア用品。
【請求項５】
前記手袋又は前記足袋の、前記開口部近傍に内部と外部とを遮断して内部を密閉する遮断シール帯を設け、前記遮断シール帯は、前記切り取り手段によって取り除き可能な開口部シール帯である請求項１に記載の手袋又は足袋からなるケア用品。
【請求項６】
前記手袋又は前記足袋を構成する樹脂フィルムと化学繊維の不織布シートの少なくとも一部の面を互いに高周波、熱シールで固着させて、装着する際の指先が内側フィルムにつかえる防止となる或いは、前記手袋内又は前記足袋内に薬剤をスムーズに含浸させてなる請求項５に記載の手袋又は足袋からなるケア用品。
【請求項７】
前記手袋又は前記足袋の、前記開口部シール帯や前記寸法調整片の切り欠きは、切り欠き方向を有する樹脂フィルムと化学繊維の不織布シートの積層体に熱を加えて一体化させて、前記不織布シートにも切り欠き方向を付与してなる請求項１に記載の手袋又は足袋からなるケア用品。
【請求項８】
前記手袋又は前記足袋の形態は、１手や１足の、前記手袋の互いの指先を向かい合わせる或いは、前記手袋の互いの前記開口部を向かい合わせる形態であり、又は、前記足袋の互いの指先を向かい合わせる或いは、前記足袋の互いの前記開口部を向かい合わせる形態であって、前記互いの指先を向かい合わせる或いは、前記開口部を向かい合わせる双方が繋がっているシール帯の中ほどに切り離すことができる切り欠き線やミシン目からなる切り込み線を設ける請求項１に記載の手袋又は足袋からなるケア用品。
【請求項９】
前記切り取り手段の位置を指示する目印を付してなる請求項１に記載の手袋又は足袋からなるケア用品。
【請求項１０】
前記手袋又は前記足袋と、前記手袋内又は前記足袋内に充填する薬剤又は薬事以外の材料を収納した容器を一つの包装体に同梱する請求項１に記載の手袋又は足袋からなるケア用品。
【請求項１１】
前記手袋又は前記足袋の、前記開口部近傍に前記遮断シール帯を設けて、前記手袋又は前記足袋の内部と外部とを遮断し、前記内部に薬剤又は薬事以外の材料を収納してなる請求項１に記載の手袋又は足袋からなるケア用品。
【請求項１２】
前記手袋又は前記足袋に、抗菌加工、断熱加工、防水加工、滑り止め加工、起毛加工、対電加工、耐摩耗加工のいずれかを施してなる請求項１に記載の手袋又は足袋。
【発明の詳細な説明】
【技術分野】
【０００１】
本発明は、手袋又は足袋からなるケア用品に関する。
【背景技術】
【０００２】
従来用品の、手や足に装着する用品は、例えば、手や足に保温、冷却、保湿、防護、薬事の効果を得る、開口部に指先から挿入して装着する。
【０００３】
本発明の出願人が既に出願した特開２０１４−１２９９１８号がある。手や足をケアする化粧品、医薬部外品、医薬品、雑貨仕様も含み、手袋や足袋を形成し、遮断シール帯を設け、全周囲は熱シール等でシール帯を設けて外部と内部を遮断し、内部には必要に応じて薬剤を設けている。
【０００４】
開口部近傍の寸法調整片部には複数からなる寸法調整片部を構成し、個々に見合うサイズの寸法調整片部を切り欠いて手袋や足袋を装着している腕部や脚部の任意の部位まで通して嵌める実施例がある。
【０００５】
従来品は、ゴムや樹脂フィルムや不織布シート等の素材を用い、チューブ成形や樹脂フィルムを積層する積層体の外周部をシールによるシール帯を設け、例えば、内部に薬剤を有するための内部が密閉された袋状の一体とする開口部に内部と外部を遮断するシール帯を設けて、溶断又は刃型で打ち抜かれる。
【先行技術文献】
【特許文献】
【０００６】
【特許文献１】特開２０１４−１２９９１８号
【発明の概要】
【発明が解決しようとする課題】
【０００７】
本発明は、従来用品に比べてより簡単に装着することができる機能を有する手袋又は足袋を提供する。
【課題を解決するための手段】
【０００８】
本発明は、個々の腕部や脚部のサイズに見合う、手袋の指から手首を経て腕部の広がりに合わせて任意の部位までを覆うことができる外周部を設け、或いは、足袋の指から足首を経て脚部の広がりに合わせて任意の部位までを覆うことができる外周部を設け、手袋又は足袋の、指部と反対方向の端部に、指を挿入する開口部を設け、外周部と開口部の間にテーパー構造を有する寸法調整部を設けた手袋又は足袋からなるケア用品であって、寸法調整部は、内側周囲が徐々に狭くなるテーパー構造を有し、テーパー構造の一部が個々の腕や脚の外周の寸法と一致する手袋又は足袋からなるケア用品によって課題を解決する。
【発明の効果】
【０００９】
本発明の、手又は足をケアする用品の、指先から装着する入口となる寸法調整部の内側周囲のサイズは、指から装着すると自然に締まるテーパー構造を備えているので上肢を覆う手袋の内部と外部を遮断し、或いは、下肢を覆う足袋の内部と外部を遮断し、薬事の化粧品、医薬部外品、医薬品の効能効果を効果的に得ることができる。
【００１０】
加えて、寸法調整部の切りとられた開口部は、個々に見合うサイズに切り取って装着するから、肢を覆う手袋の内部と外部を遮断し、或いは、下肢を覆う足袋の内部と外部を遮断して装着することができる。
【００１１】
本発明の、手袋の内部と外部を遮断するケアする用品は、袋内部に有する薬剤の漏れや内部に有する薬剤或いは、内部と外部を遮断しているから塗布した薬剤が体温により速く乾くことを遅らせるので、薬事の化粧品、医薬部外品、医薬品の効能効果をより効果的に得ることができる。
【００１２】
加えて、装着する際の造作を容易にするための開口部近傍に設ける突出部をつまむ支持部や、装着した開口部の周囲を締める帯等の帯状体を設け、更には、支持部や帯体に粘着性を有する糊や糊と離型紙の組み合せた形態を有する少なくとも１つの仕組みを設け、開口部近傍を粘着で固定することができる。
【００１３】
上述の帯状体の、手袋又は足袋の開口部の近傍に一体の自らに備える帯状体の領域の長手方向に切り欠いて輪となる切り欠き線を設け、或いは、帯状体の端部までを長手方向に切り欠いて端部を個々の腕や脚の外周の寸法と見合う状態に結び輪の形態を通し嵌めて装着することで開口部近傍を締めることができる。
【００１４】
本発明は構成する素材によって用途や効果は異なるが、開口部近傍に指から装着すると互いのサイズが合って自然に締まり内部と外部を遮断する寸法調整片部を備えているから、外部からの、例えば、外気、薬剤、油等の侵入を止める或いは、これら侵入を遅らせる又は、内部の汚染等を外部に汚染させることを防ぐ或いは、遅らせることが期待できるので、用途に応じた仕様の素材や基準を満たし医療用具、家庭用具、作業用具（園芸、土木等）、調理用具、防寒用具、感電防止用具や雑貨対応とする対菌、対洗浄、対油性、対汚物、対温度、対衛生、対電気等に使用することができる。
【図面の簡単な説明】
【００１５】
【図１】図1は、本発明の手袋を示す平面図である。
【図２】図２は、図１を装着する説明図である。
【図３】図３は、図１の製造方法を示す説明図である。
【発明を実施するための形態】
【００１６】
本発明の、手袋又は足袋（以下、手袋符号１と略称する）からなるケア用品の、開口部近傍の寸法調整部や支持部の機能と形態について記述する。
【００１７】
本発明は、個々に見合う寸法の、手袋の指から手首を経て腕部の広がりに合わせて任意の部位までを覆うことができる外周部２を設け、或いは、足袋の指から足首を経て脚部の広がりに合わせて任意の部位までを覆うことができる外周部を設け、手袋又は足袋の、指と反対方向の端部に、指を挿入する開口部１３を設け、外周部と開口部の間にテーパー構造を有する寸法調整部４を設けた手袋又は足袋からなるケア用品であって、寸法調整部は、内側周囲が徐々に狭くなるテーパー構造を有し、テーパー構造の一部が個人個人の腕部又は脚部の一部の外周の寸法と一致する手袋又は足袋からなるケア用品。
【００１８】
寸法調整部は、端部の開口部に向けて内側の周囲が徐々に狭くなるテーパー構造を有しており、個々の腕や脚の任意の外周の寸法に見合う開口部に手又は足の指から挿入して装着すると個々の腕や脚の外周の寸法と一致する手袋又は足袋からなるケア用品である。
【００１９】
前記寸法調整部は、個々のサイズに切り取り調整するための、或いは、遮断シール帯（開口部シール帯）を取り除くための、手袋を装着する方向に交差して寸法調整部の一部を切り取ることができるそれぞれ少なくとも１つのミシン目６や切り口５やＶカット７等（以下、切り取り手段と略称する）を有している。
【００２０】
更に、手袋の装着を容易にするためのつまむことができる開口部の近傍に少なくとも一つの支持部８を設け、又は、開口部近傍を帯状体で締めるための少なくとも一つの帯状体９を設ける。支持部又は帯状体に粘着剤１１或いは、粘着剤と剥離紙１０を設けている。
【００２１】
加えて、帯状体の長手方向に切り欠いて輪となる切り欠き線１２を設けて、手袋を装着した指部から輪を通して嵌めると個々の腕や脚の外周の寸法とが相俟って開口部近傍が締まる。
【００２２】
帯状体の端部までを長手方向に切り欠いて互いの端部を個々の腕や脚の外周の寸法と見合う状態に結び輪の形態を作り手袋を装着した指部から輪を通し嵌めることで開口部近傍を締めることができる。
【００２３】
本発明は、固定したサイズの、個々の腕部の周囲の寸法又は脚部の周囲の寸法に見合う、例えば、開口部の大きいサイズ、中のサイズ、小さいサイズ等の、例えば、３通りの完成品を構成することもできる。
【００２４】
更に、本発明は、フリーサイズの、指から装着する方向にテーパー構造の寸法調整部を備えているから、装着する方向に交差して寸法調整部の一部を切り取ることができる切り取り手段を施すことで開口部は個々の腕や脚の外周の寸法とより見合う手袋とすることができる。
【００２５】
本発明の、手袋又は足袋の形状及び形態は、例えば、手又は足の、指５本を袋状に包む形状とし、又は、親指を袋状に包む形状に加え人差し指から小指までを袋状に連なって包む形状とし、又は、指５本をそれぞれ個別に包む形状であり、指先から開口部までの丈は任意であり、手首の部位又は足首の部位を有し、手又は足の指が挿入される開口部を設ける形態であり、開口部近傍には少なくとも１つの切り口やミシン目の切り込み線や指示する少なくとも１つの目印を設け、例えば、手袋の指先から腕部の開口部までを３５０ｍｍ、幅方向に２５０ｍｍ、開口部の幅方向は１８０〜２５０ｍｍである。これら形状や形態の企画は腕や脚の長さに応じ任意である。
【００２６】
本発明の、手袋又は足袋の用途は、対薬事（滅菌処理）、対衛生（抗菌加工）、対菌・対汚物（開口部の密閉）、対洗浄（防水加工）、対油性（対油ゴム加工）、対温度（断熱加工）、対保護（滑り止め加工、起毛加工、耐摩耗加工）、対電気（感電防止加工）等に使用する際の手や足をケアすることを特徴とする。
【００２７】
手袋の外側フィルムや内側フィルムを構成する際、上述の用途に応じて素材を選択する。例えば、樹脂フィルム（ナイロン、ポリエチレン、ポリプロピレン、ポリエチレンテレフタレート、アクリル等のフィルム）、ゴム（天然・合成）、金属、箔（アルミ、シリカ等）、不織布シート（自然素材であるコットン、テンセル、リヨーセル、パルプ等の繊維で構成する不織布シート、化学繊維であるナイロン、ポリエチレン、ポリプロピレン、ポリエチレンテレフタレート、アクリル等の繊維で構成する不織布シート）、起毛、布、これら素材の互いの１つを混ぜた素材や伸縮性を有する素材で構成する。
【００２８】
本発明の手袋を構成する、薬事の効能効果を得るための素材は、例えば、薬事に係る美容や医療の相乗効果を保持できるバリア効果、遮光の効果等の機能を有する樹脂フィルムや化学繊維で構成される不織布シート等が望まれる。
【００２９】
本発明の手袋を構成する製法は、第１の製法は開口部を設けて素材を積層し一体を構成する。第２の製法は素材を溶かして３次元に一体を構成する。第３の製法は素材を縫い合わせて一体を構成する。第４の製法は手袋の内部と外部とを遮断する遮断シール帯（開口部シール帯）を設けて一体を構成する。それぞれを以下に述べる。
【００３０】
第１は、手袋を構成する素材を積層して、
手袋の指から手首を経て腕部の広がりに合わせて任意の部位までを覆うことができる外周部を設け、手袋又は足袋の、指部と反対方向の端部に、指を挿入する開口部を設け、外周部と開口部の間に内側の寸法が徐々に狭くなるテーパー構造を有する寸法調整部を設けた手袋又は足袋からなるケア用品である。
【００３１】
例えば、図３の、手袋はロール（上）符号１５とロール（下）符号１６から送り出された外側フィルムの２層で積層される積層体、又は、２層の外側フィルムの間にロール（中）符号１７少なくとも１層の内側フィルムを積層する積層体、或いは、内側に積層するフィルムの面積が外側フィルムの面積以下で積層される積層体の、積層体の外周部を少なくとも連続又は一部を不連続の縫い糸、高周波、熱シール、圧着（以下、シールと略称する）による線状や帯状等のシール帯（以下、シール帯と略称する）を設け、溶断や刃型で打ち抜いて成形される製法である。
【００３２】
樹脂フィルムの切り欠き性や切り欠き方向は、例えば、ロール巻き出し方向に沿って切り欠き方向を有しているから、３図の外側フィルムのロールの出し方向１８と指先方向から寸法調整部の幅方向１９は直角に交差している。
【００３３】
開口部近傍に設けた手袋の内部と外部を遮断するシール帯である開口部シール帯や寸法調整部の任意の一部を取り除くための切り欠きは、例えば、外側フィルムの切り欠き性や切り欠き方向を有する樹脂フィルムに内側フィルムを化学繊維の不織布シートを積層すると化学繊維の不織布シートには方向性を有していないので同時に切り欠くことが難しい。
【００３４】
例えば、開口部近傍のＶノッチ符号７からもう一方のＶノッチまでを切り欠いて取り除く切り欠き方向性を有する外側の樹脂フィルムと内側フィルムの化学繊維不織布シートとの領域に熱を加えて外側の樹脂フィルムと内側フィルムの化学繊維不織布シートを溶着させて一体のフィルムとすると化学繊維の不織布シートに切り欠き性を付与することができるので切り欠きはスムーズである。
【００３５】
予め、外側の樹脂フィルムと内側フィルムを溶着した一体フィルムを生産工程に用いると量産機械や生産コストに適応する。
【００３６】
手袋の内部に薬剤の含浸を容易に行う方法の一つに、手袋を構成する外側フィルムの樹脂フィルムと内側フィルムの化学繊維の不織布シートの構成に薬剤を含浸させるのは難儀であるので、容易に含浸させる方法の一つに、樹脂フィルムの面と化学繊維の不織布シートの面とをシールにより固着させると毛細管現象の作用により手袋内に薬剤が容易に広まる。
【００３７】
第２の、樹脂、ゴム、不織布等の素材を溶かして指先から挿入することができる開口部を設けて３次元に一体を構成する。例えば、射出成型や手と同じ成型品となる手型を用いて手型の表面に溶かした素材を構成し成型品を剥がす製法である。
【００３８】
第３の、樹脂、ゴム、不織布、布等の素材を縫い合わせて指先から挿入することができる開口部を設けて一体を構成する製法は、糸や針等を用いた手袋用の編み機を用いて一体を構成する製法である。
【００３９】
第４の製法は、第１の製法に内部と外部を遮断する開口部近傍に遮断シール帯を設けて一体を内部と外部に遮断（分断）して手袋の内部を密閉して構成する製法である。
【００４０】
本発明の手袋の、一体を内部と外部に遮断する製法は、指部と反対方向の端部に、開口部近傍に内部と外部を遮断して密閉する連続の遮断シール帯を設ける。
【００４１】
遮断シール帯を設け、外周部と遮断シールを連続して繋ぐことで、外部から内部への汚染を防ぎ、更には、内部に薬剤を有する場合は薬事の基準を満たすべく薬剤の安全性や安定性を保持することができる。
【００４２】
加えて、本発明の、薬事に適応する素材で構成する手袋の内部に薬事の効能効果が得られる化粧品、医薬部外品、医薬品の、薬剤である薬液、ゲル剤、粉、粉黛、薬事シート、軟膏等を設ける。薬事以外は、例えば、温感や冷感の原料等（以下、材料と略称する）の雑貨対応を設けてもよい。
【００４３】
薬事に対応するための手袋の、手袋を構成する素材は少なくともバリア性や効能効果が訴求できる材質を使用するが、主原料（化粧品原料、医薬部外品原料、医薬品原料）が素材に吸着するので考慮することが必要である。
【００４４】
手袋の、手袋の内部と外部を遮断して密封する遮断シール帯を設けて内部に薬剤を有する仕様は、積層する内側のフィルムに天然繊維素材を用いて積層する積層体の外周部全周囲をシールして密閉すると、例えば、時間の経過や自然浸透等によって漏れやにじみが生じるので薬液の有無に応じて素材を選択することを考慮されたい。加えて、本発明品は、放射線滅菌を行うと自然素材は劣化する傾向にあるので構成や実施に考慮が必要である。
【００４５】
本発明の開口部近傍に設ける遮断シール帯は、はさみ等を用いることや近傍に設ける切り取り手段から、遮断シール帯の一部が取り除き可能な開口部シール帯である。
【００４６】
手袋の、内部から外部への液漏れや長時間使用する際の、体温で中身の薬剤の含浸の蒸発及び乾燥を速めることを防ぐ或いは、遅らせるための仕組みを、開口部近傍に開口部を束ねて止めるための凹や凸部を設けることもできるから、輪ゴム等を嵌めて、紐で結ぶ等の方法等であっても問題としない。
【００４７】
テーパー構造を備える寸法調整部の一部を切り欠き取り除いて装着する場合は、外側フィルムを一定方向に切り欠くことができる切り欠き方向を有する特殊フィルムを用いるとよい。更に、寸法調整部の一部を取り除くため、手袋を装着する方向に交差して切り欠き取り除くことができる切り口、シン目状の切り込み線、ノッチ、Ｖカット等（以下、切り取り手段と略称する）を設けるとよい。
【００４８】
開口部となる寸法調整部のテーパー構造に交差して設ける少なくとも１つの切り取り手段によって、切り欠いて取り除いた寸法調整片の輪に手袋を装着した腕や脚の任意の位置に通し嵌めることにより、腕部や脚部の外周と寸法調整片の内側寸法が相俟って開口部近傍を締めることができる。
【００４９】
例えば、開口部近傍の腕の周囲の寸法が大きい消費者のサイズであれば、腕の周囲よりも若干短い寸法の部位で締まるから、予め若干短い寸法の寸法調整部の寸法調整片を切り欠いて取り除くことが必要である。
【００５０】
本発明の使用の用途と効果は、構成する素材によって異なるが、医療用具（手術、介護等）、家庭用具（家事、車の洗車等）、土木作業用具（園芸、土木等）、調理用具（食品加工、食材の盛合せ等）、防寒用具や雑貨対応とする対菌（滅菌処理）、対洗浄（防水加工）、対油性（対油性ゴム）、対温度（断熱加工）、作業用具（滑り止め加工、起毛加工、対電加工、耐摩耗加工）、対衛生（天然、合成ゴム）等である。
【００５１】
加えて、使用の用途と効果は、手又は足の手袋や足袋の開口部を絞めて内部と外部を遮断して保護するので、外部からの、例えば、外気、薬剤、油、温度等の侵入を止める或いは、これら侵入を遅らせる又は、内部の汚染等を外部に汚染させることを防ぐ或いは、遅らせることが期待できる。
【００５２】
本発明の手袋の形態は、例えば、１つの手の形態又は１本の足の形態でもよく、右・左の双方に使用させるための、互いの指先を向かい合わせる又は互いの開口部を向かい合わせる形態、又は、それぞれの少なくとも一部が繋がっている状態等は任意である。加えて、双方が繋がっているシール帯の中ほどに容易に切り離すことができる切り欠き線やミシン目なる切り込み線を設けるとよい。
【００５３】
本発明の、全ての外周部をシール帯で繋いで内部と外部遮断して内部に薬剤を有する手袋を少なくとも１枚封入する場合、包装体はバリア性を有するフィルムで構成することが望まれるが、手袋にバリア性を有する仕様であれば包装体の仕様を簡素化してもよいが、手袋にバリア性を有しない場合に少なくとも薬事の条件を満たす仕様としてバリア性を有するフィルムで構成した包装体に封入する必要がある。
【００５４】
本発明の手袋の封入は、製品を企画する任意の枚数を手袋の訴求効果や機能に応じてバリア性を有する袋、バリア性を有しない袋や容器等に少なくとも１枚を封入して複数回開閉することができるフラップ（蓋）、チャック機能を有する等の任意の包装体に封入するとよい。吊下げる穴などの機能を設けると販売等の促進に繋がる。
【００５５】
本発明は、使用する場所にとらわれずタイムリーに使用できる。金属や鋭利な刃等の道具は不要であり、ビジネスの出張、飛行機の機内泊、車中泊等でも手間暇かからずスムーズに使用できるから便利である。
【００５６】
本発明の手袋や足袋の、切り欠いて指部から通して嵌めることができる少なくとも開口部の近傍の一部を取り除くことができるための、手袋や足袋の外周部のシール帯に少なくとも１つの切り取り手段を設け、任意の位置に指示する矢印等やハサミ等（以下、目印という）の絵図を設ける。
【００５７】
積層する、例えば、内側のフィルムは、手袋を装着する際の、指部を挿入する指先が内側フィルムの先端につかえてスムーズに装着ができない場合、外側のフィルムに内側フィルムの先端或いは、内側フィルムの少なくとも一部の面積を固着することで解決する。
【００５８】
本発明の手袋又は足袋と、手袋内又は足袋内に自ら充填（用事調整）する、或いは、手や足に塗布する薬剤（化粧品、医薬部外品、医薬品）や雑貨対応の材料を収納した容器（チューブやボトル等）を一つの包装体に同梱することで個々に見合った用法を指示できるケア用品となる。
【００５９】
本発明の手袋や足袋は、フィルムや化学繊維の不織布シートの他に、布、自然素材の不織布シート、綿等の通気性を有する素材で構成することができる。
【００６０】
本発明の手袋や足袋は、最良生産ロットに用いる大型機械の投資よりも安価な上下に打ち抜くトムソン刃型を用いた量産の工程がコスト削減においても望ましい。
【００６１】
本発明の手袋や足袋の滅菌は、一体の外周の全周囲をシール帯で内部と外部を遮断して密閉し、対医薬、対菌等に対応するための放射線、エチレンオキサイドガス、オートクレーブ処理等（以下、滅菌処理という）を行うことができる。
【実施例】
【００６２】
本発明の実施例は、個々の腕部や脚部の外側周囲に見合う開口部の手袋を封入袋から取り出して支持体をつまみ開口部近傍を固定しながら装着する。或いは、手袋の開口部近傍に設ける切り取り手段によって寸法調整部を個々の腕部や脚部の外側周囲に見合う開口部寸法に切り欠いて取り除き、開口部を締める実施が良好な位置を、寸法調整部の寸法調整片を切り欠いて取り除き、手袋を装着して、予め切り除いた部位に手袋を装着した指から通し嵌めて良好な位置で開口部を締める。
【００６３】
寸法調整部の切りとりは、絵図（目印）に従い切り取り手段によって個々の腕や脚の締める寸法に見合う開口部を設けることができる。
【００６４】
加えて、手袋の内部に薬剤を有する手袋を装着する又は、手１４に薬剤を塗布して手袋を装着する時間は凡そ１５分間を目安にする。或いは、各商品のコンセプトに合せての用法に準ずる。
【符号の説明】
【００６５】
１    本発明の手袋
２    外周部
３    遮断シール帯（開口部）
４    寸法調整部
５    切り口
６    ミシン目状の切り込み線
７    Ｖカット
８    支持部
９    帯状体
１０  剥離紙
１１  粘着剤
１２  切り欠き線
１３  開口部
１４  手（上腕）
１５  ロール（上）
１６  ロール（下）
１７  ロール（中）
１８  ロールの送り出し方向
１９  ロールの幅
【要約】
【課題】        
手又は足に造作なく装着できる機能を有するケア用品を提供する。
【解決手段】    
指から手首を経て腕部の広がりに合せて任意の部位までを覆う又は指から足首を経て脚部の広がりに合せて任意の部位までを覆うことができ、指部と反対方向の端部に寸法調整部を備える開口部を設け、個々に見合う寸法調整部から手袋又は足袋を装着すると腕部や脚部の周囲の寸法と寸法調整部開口部が一致する。少なくとも１枚を包装体に封入する手袋又は足袋からなるケア用品。
【選択図】図１【図１】
0005753303.tif 000002
【図２】
0005753303.tif 000003
【図３】
0005753303.tif 000004